【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
テレマティクスデータを通信する方法であって、
第1のデバイスから第2のデバイスに第1のセッション開始プロトコル(SIP)メッセージを送信するステップであって、前記第1のSIPメッセージは、少なくとも、前記第1のデバイスと前記第2のデバイスとの間の通信セッションに関係するセッション情報の第1のセット、および前記第1のデバイスのステータスに関係するテレマティクスデータの第1のセットを含む、ステップと、
前記第1のデバイスにおいて第2のSIPメッセージを受信するステップであって、前記第2のSIPメッセージは、前記第1のSIPメッセージにおいて送信されたテレマティクスデータの前記第1のセットの内容に基づくメタデータを含む、ステップと
を含む方法。
【請求項２】
セッション情報の前記第1のセットは、前記通信セッションの開始を求める要求、または前記通信セッションに関連する情報のうちの少なくとも1つを含む、請求項1に記載の方法。
【請求項３】
前記第2のSIPメッセージは、前記通信セッションに関係するセッション情報の第2のセットを含む、請求項1に記載の方法。
【請求項４】
前記第2のSIPメッセージを前記受信するステップは、
テレマティクスデータの前記第1のセットが前記第2のデバイスにおいて良好に受信されたかどうかの指示を受信するステップであって、前記指示は、テレマティクスデータの前記第1のセットの前記内容に基づく前記メタデータを含む、ステップ
を含む、請求項1に記載の方法。
【請求項５】
前記第2のSIPメッセージを前記受信するステップは、
テレマティクスデータの前記第1のセットに関する要求を受信するステップであって、前記要求は、テレマティクスデータの前記第1のセットの前記内容に基づく前記メタデータを含む、ステップ
をさらに含む、請求項1に記載の方法。
【請求項６】
前記要求は、テレマティクスデータの前記第1のセットの再送信を求める要求、テレマティクスデータの前記第1のセットの更新バージョンの送信を求める要求、またはテレマティクスデータの異なるセットの送信を求める要求のうちの少なくとも1つを含む、請求項5に記載の方法。
【請求項７】
前記第1のデバイスから前記第2のデバイスに第3のSIPメッセージを送信するステップであって、前記第3のSIPメッセージは、少なくとも、テレマティクスデータの前記第1のセットに関する受信された前記要求に対する応答を含む、ステップ
をさらに含む、請求項5に記載の方法。
【請求項８】
前記第2のSIPメッセージを前記受信するステップは、
テレマティクスデータの前記第1のセットの前記内容に基づく少なくとも1つのアクションの実行を求める命令を前記第2のデバイスから受信するステップであって、前記命令は、テレマティクスデータの前記第1のセットの前記内容に基づく前記メタデータを含む、ステップ
をさらに含む、請求項1に記載の方法。
【請求項９】
前記少なくとも1つのアクションは、追加のテレマティクスデータを収集すること、車両の状態に影響を与えるアクションを実施すること、車両の構成要素をアクティブ化すること、車両の構成要素を非アクティブ化すること、車両のイグニションをオフにすること、車両のイグニションをオンにすること、車両の燃料供給をオフにすること、車両の燃料供給をオンにすること、ドアの鍵を開けること、ドアの鍵を閉めること、車両のクラクションをアクティブ化すること、外部可聴音をアクティブ化すること、車両のライトをアクティブ化すること、車両の点滅灯をアクティブ化すること、パワーウィンドウを作動させること、録音メッセージを再生すること、メディアをレンダリングすること、またはテキストメッセージを表示することのうちの少なくとも1つを含む、請求項8に記載の方法。
【請求項１０】
前記第2のSIPメッセージのヘッダから、前記第2のSIPメッセージの本文の少なくとも一部分は前記メタデータを含むと判断するステップ
をさらに含む、請求項3に記載の方法。
【請求項１１】
前記第2のSIPメッセージの前記ヘッダから、前記第2のSIPメッセージの前記本文はマルチパートフォーマットを含むと判断するステップと、
前記ヘッダ中の情報に基づいて、前記第2のSIPメッセージの前記本文の第1の部分を識別するステップであって、前記第2のSIPメッセージの前記本文の前記第1の部分は、少なくとも、前記通信セッションに関係するセッション情報の第2のセットを含む、ステップと、
前記ヘッダ中の前記情報に基づいて、前記第2のSIPメッセージの前記本文の第2の部分を識別するステップであって、前記第2のSIPメッセージの前記本文の前記第2の部分は、少なくとも、前記第1のSIPメッセージにおいて送信されたテレマティクスデータの前記第1のセットの前記内容に基づく前記メタデータを含む、ステップと
をさらに含む、請求項10に記載の方法。
【請求項１２】
前記第1のSIPメッセージのヘッダを生成するステップであって、前記ヘッダは、前記第1のSIPメッセージの本文の少なくとも一部分がテレマティクスデータの前記第1のセットを含むことを示す指示を含む、ステップ
をさらに含む、請求項1に記載の方法。
【請求項１３】
第1のプロトコルに従ってセッション情報の前記第1のセットをフォーマットするステップと、
第2のプロトコルに従ってテレマティクスデータの前記第1のセットをフォーマットするステップと、
少なくともセッション情報の前記フォーマットされた第1のセットおよびテレマティクスデータの前記フォーマットされた第1のセットを結合して、前記第1のSIPメッセージの前記本文を生成するステップと
をさらに含む、請求項12に記載の方法。
【請求項１４】
前記第1のSIPメッセージは、前記通信セッションの開始を求める招待を含み、前記第2のSIPメッセージは、前記招待の拒否を含む、請求項1に記載の方法。
【請求項１５】
前記通信セッションは、ボイスオーバーインターネットプロトコル(VoIP)呼を含む、請求項1に記載の方法。
【請求項１６】
前記通信セッションは、ストリーミングメディアまたは非ストリーミングメディアのうちの少なくとも1つを使用して、音声、文字単位テキスト、メッセージ単位テキスト、ビデオ、およびテキストメッセージングのうちの1つまたは複数を搬送する、請求項1に記載の方法。
【請求項１７】
テレマティクスデータを通信するためのデバイスであって、
プロセッサと、
前記プロセッサと電子通信しているメモリと
を含み、前記メモリは命令を具体化し、前記命令は前記プロセッサによって、
第1のデバイスから第2のデバイスに第1のセッション開始プロトコル(SIP)メッセージを送信するステップであって、前記第1のSIPメッセージは、少なくとも、前記第1のデバイスと前記第2のデバイスとの間の通信セッションに関係するセッション情報の第1のセット、および前記第1のデバイスのステータスに関係するテレマティクスデータの第1のセットを含む、ステップと、
前記第1のデバイスにおいて第2のSIPメッセージを受信するステップであって、前記第2のSIPメッセージは、前記第1のSIPメッセージにおいて送信されたテレマティクスデータの前記第1のセットの内容に基づくメタデータを含む、ステップと
を行うように実行可能である、デバイス。
【請求項１８】
セッション情報の前記第1のセットは、前記通信セッションの開始を求める要求、または前記通信セッションに関連する情報のうちの少なくとも1つを含む、請求項17に記載のデバイス。
【請求項１９】
前記第2のSIPメッセージは、前記通信セッションに関係するセッション情報の第2のセットを含む、請求項17に記載のデバイス。
【請求項２０】
前記命令は前記プロセッサによって、
テレマティクスデータの前記第1のセットが前記第2のデバイスにおいて良好に受信されたかどうかの指示を受信するステップであって、前記指示は、テレマティクスデータの前記第1のセットの前記内容に基づく前記メタデータを含む、ステップ
を行うように実行可能である、請求項17に記載のデバイス。
【請求項２１】
前記命令は前記プロセッサによって、
テレマティクスデータの前記第1のセットに関する要求を受信するステップであって、前記要求は、テレマティクスデータの前記第1のセットの前記内容に基づく前記メタデータを含む、ステップ
を行うように実行可能である、請求項17に記載のデバイス。
【請求項２２】
前記命令は前記プロセッサによって、
テレマティクスデータの前記第1のセットの前記内容に基づく少なくとも1つのアクションの実行を求める命令を前記第2のデバイスから受信するステップであって、前記命令は、テレマティクスデータの前記第1のセットの前記内容に基づく前記メタデータを含む、ステップ
を行うように実行可能である、請求項17に記載のデバイス。
【請求項２３】
前記命令は前記プロセッサによって、
前記第2のSIPメッセージのヘッダから、前記第2のSIPメッセージの本文の少なくとも一部分は前記メタデータを含むと判断する
ように実行可能である、請求項19に記載のデバイス。
【請求項２４】
前記命令は前記プロセッサによって、
前記第2のSIPメッセージの前記ヘッダから、前記第2のSIPメッセージの前記本文はマルチパートフォーマットを含むと判断するステップと、
前記ヘッダ中の情報に基づいて、前記第2のSIPメッセージの前記本文の第1の部分を識別するステップであって、前記第2のSIPメッセージの前記本文の前記第1の部分は、少なくとも、前記通信セッションに関係するセッション情報の前記第2のセットを含む、ステップと、
前記ヘッダ中の前記情報に基づいて、前記第2のSIPメッセージの前記本文の第2の部分を識別するステップであって、前記第2のSIPメッセージの前記本文の前記第2の部分は、少なくとも、前記第1のSIPメッセージにおいて送信されたテレマティクスデータの前記第1のセットの前記内容に基づく前記メタデータを含む、ステップと
を行うように実行可能である、請求項23に記載のデバイス。
【請求項２５】
テレマティクスデータを通信するための装置であって、
第1のデバイスから第2のデバイスに第1のセッション開始プロトコル(SIP)メッセージを送信するための手段であって、前記第1のSIPメッセージは、少なくとも、前記第1のデバイスと前記第2のデバイスとの間の通信セッションに関係するセッション情報の第1のセット、および前記第1のデバイスのステータスに関係するテレマティクスデータの第1のセットを含む、手段と、
前記第1のデバイスにおいて第2のSIPメッセージを受信するための手段であって、前記第2のSIPメッセージは、前記第1のSIPメッセージにおいて送信されたテレマティクスデータの前記第1のセットの内容に基づくメタデータを含む、手段と
を含む装置。
【請求項２６】
セッション情報の前記第1のセットは、前記通信セッションの開始を求める要求または前記通信セッションに関連する情報のうちの少なくとも1つを含む、請求項25に記載の装置。
【請求項２７】
前記第2のSIPメッセージは、前記通信セッションに関係するセッション情報の第2のセットを含む、請求項25に記載の装置。
【請求項２８】
前記第2のSIPメッセージを受信するための前記手段は、
テレマティクスデータの前記第1のセットが前記第2のデバイスにおいて良好に受信されたかどうかの指示を受信するための手段であって、前記指示は、テレマティクスデータの前記第1のセットの前記内容に基づく前記メタデータを含む、手段
を含む、請求項25に記載の装置。
【請求項２９】
前記第2のSIPメッセージを受信するための前記手段は、
テレマティクスデータの前記第1のセットに関する要求を受信するための手段であって、前記要求は、テレマティクスデータの前記第1のセットの前記内容に基づく前記メタデータを含む、手段
を含む、請求項25に記載の装置。
【請求項３０】
前記要求は、テレマティクスデータの前記第1のセットの再送信を求める要求、テレマティクスデータの前記第1のセットの更新バージョンの送信を求める要求、またはテレマティクスデータの異なるセットの送信を求める要求のうちの少なくとも1つを含む、請求項29に記載の装置。
【請求項３１】
前記第1のデバイスから前記第2のデバイスに第3のSIPメッセージを送信するための手段であって、前記第3のSIPメッセージは、少なくとも、テレマティクスデータの前記第1のセットに関する受信された前記要求に対する応答を含む、手段
をさらに含む、請求項29に記載の装置。
【請求項３２】
テレマティクスデータを通信するためのコンピュータプログラムであって、前記コンピュータプログラムに含まれる命令はプロセッサによって、
第1のデバイスから第2のデバイスに第1のセッション開始プロトコル(SIP)メッセージを送信するステップであって、前記第1のSIPメッセージは、少なくとも、前記第1のデバイスと前記第2のデバイスとの間の通信セッションに関係するセッション情報の第1のセット、および前記第1のデバイスのステータスに関係するテレマティクスデータの第1のセットを含む、ステップと、
前記第1のデバイスにおいて第2のSIPメッセージを受信するステップであって、前記第2のSIPメッセージは、前記第1のSIPメッセージにおいて送信されたテレマティクスデータの前記第1のセットの内容に基づくメタデータを含む、ステップと
を行うように実行可能である、コンピュータプログラム。
【請求項３３】
セッション情報の前記第1のセットは、前記通信セッションの開始を求める要求、または前記通信セッションに関連する情報のうちの少なくとも1つを含む、請求項32に記載のコンピュータプログラム。
【請求項３４】
前記第2のSIPメッセージは、前記通信セッションに関係するセッション情報の第2のセットを含む、請求項32に記載のコンピュータプログラム。
【請求項３５】
テレマティクスデータを通信する方法であって、
第2のデバイスにおいて第1のデバイスから第1のセッション開始プロトコル(SIP)メッセージの少なくとも一部分を受信するステップであって、前記第1のSIPメッセージは、少なくとも、前記第1のデバイスと前記第2のデバイスとの間の通信セッションに関係するセッション情報の第1のセット、および前記第1のデバイスのステータスに関係するテレマティクスデータの第1のセットを含む、ステップと、
前記第1のSIPメッセージに応答して、前記第1のデバイスに第2のSIPメッセージを送信するステップであって、前記第2のSIPメッセージは、前記第1のSIPメッセージにおいて受信されたテレマティクスデータの前記第1のセットの内容に基づくメタデータを含む、ステップと
を含む方法。
【請求項３６】
セッション情報の前記第1のセットは、前記通信セッションの開始を求める要求、または前記通信セッションに関連する情報のうちの少なくとも1つを含む、請求項35に記載の方法。
【請求項３７】
前記第2のSIPメッセージは、前記通信セッションに関係するセッション情報の第2のセットを含む、請求項35に記載の方法。
【請求項３８】
前記第2のSIPメッセージを前記送信するステップは、
テレマティクスデータの前記第1のセットが前記第2のデバイスにおいて良好に受信されたかどうかの指示を送信するステップであって、前記指示は、テレマティクスデータの前記第1のセットの前記内容に基づく前記メタデータを含む、ステップ
を含む、請求項35に記載の方法。
【請求項３９】
前記第2のSIPメッセージを前記送信するステップは、
テレマティクスデータの前記第1のセットに関する要求を送信するステップであって、前記要求は、テレマティクスデータの前記第1のセットの前記内容に基づく前記メタデータを含む、ステップ
を含む、請求項35に記載の方法。
【請求項４０】
前記要求は、テレマティクスデータの前記第1のセットの再送信を求める要求、テレマティクスデータの前記第1のセットの更新バージョンの送信を求める要求、またはテレマティクスデータの異なるセットの送信を求める要求のうちの少なくとも1つを含む、請求項39に記載の方法。
【請求項４１】
前記第1のデバイスから第3のSIPメッセージを受信するステップであって、前記第3のSIPメッセージは、少なくとも、テレマティクスデータの前記第1のセットに関する送信された前記要求に対する応答を含む、ステップ
をさらに含む、請求項39に記載の方法。
【請求項４２】
前記第2のSIPメッセージを前記送信するステップは、
テレマティクスデータの前記第1のセットに関連する少なくとも1つのアクションを識別するステップと、
テレマティクスデータの前記第1のセットの前記内容に基づく前記少なくとも1つの識別されたアクションの実行を求める命令を前記第1のデバイスに送信するステップであって、前記命令は、テレマティクスデータの前記第1のセットの前記内容に基づく前記メタデータを含む、ステップと
を含む、請求項35に記載の方法。
【請求項４３】
前記少なくとも1つの識別されたアクションは、追加のテレマティクスデータを収集すること、車両の状態に影響を与えるアクションを実施すること、車両の構成要素をアクティブ化すること、車両の構成要素を非アクティブ化すること、車両のイグニションをオフにすること、車両のイグニションをオンにすること、車両の燃料供給をオフにすること、車両の燃料供給をオンにすること、ドアの鍵を開けること、ドアの鍵を閉めること、車両のクラクションをアクティブ化すること、外部可聴音をアクティブ化すること、車両のライトをアクティブ化すること、車両の点滅灯をアクティブ化すること、パワーウィンドウを作動させること、録音メッセージを再生すること、メディアをレンダリングすること、またはテキストメッセージを表示することのうちの少なくとも1つを含む、請求項42に記載の方法。
【請求項４４】
前記第1のSIPメッセージのヘッダから、前記第1のSIPメッセージの本文の少なくとも一部分はテレマティクスデータの前記第1のセットを含むと判断するステップ
をさらに含む、請求項35に記載の方法。
【請求項４５】
前記第1のSIPメッセージの前記ヘッダから、前記第1のSIPメッセージの前記本文はマルチパートフォーマットを含むと判断するステップと、
前記ヘッダ中の情報に基づいて、前記第1のSIPメッセージの前記本文の第1の部分を識別するステップであって、前記第1のSIPメッセージの前記本文の前記第1の部分は、少なくとも、前記通信セッションに関係するセッション情報の前記第1のセットを含む、ステップと、
前記ヘッダ中の前記情報に基づいて、前記第1のSIPメッセージの前記本文の第2の部分を識別するステップであって、前記第1のSIPメッセージの前記本文の前記第2の部分は、少なくとも、テレマティクスデータの前記第1のセットを含む、ステップと
をさらに含む、請求項44に記載の方法。
【請求項４６】
前記第2のSIPメッセージのヘッダを生成するステップであって、前記ヘッダは、前記第2のSIPメッセージの本文の少なくとも一部分が前記メタデータを含むことを示す指示を含む、ステップ
をさらに含む、請求項37に記載の方法。
【請求項４７】
第1のプロトコルに従って前記通信セッションに関係するセッション情報の前記第2のセットをフォーマットするステップと、
第2のプロトコルに従ってテレマティクスデータの前記第1のセットの前記内容に基づく前記メタデータをフォーマットするステップと、
少なくとも、セッション情報の前記フォーマットされた第2のセット、およびテレマティクスデータの前記第1のセットの前記内容に基づく前記フォーマットされたメタデータを結合して、前記第2のSIPメッセージの前記本文を生成するステップと
をさらに含む、請求項46に記載の方法。
【請求項４８】
前記第1のSIPメッセージは、前記通信セッションの開始を求める招待を含み、前記第2のSIPメッセージは、前記招待の拒否を含む、請求項35に記載の方法。
【請求項４９】
前記通信セッションは、ボイスオーバーインターネットプロトコル(VoIP)呼を含む、請求項35に記載の方法。
【請求項５０】
前記通信セッションは、ストリーミングメディアまたは非ストリーミングメディアのうちの少なくとも1つを使用して、音声、文字単位テキスト、メッセージ単位テキスト、ビデオ、およびテキストメッセージングのうちの1つまたは複数を搬送する、請求項35に記載の方法。
【請求項５１】
テレマティクスデータを通信するためのデバイスであって、
プロセッサと、
前記プロセッサと電子通信しているメモリと
を含み、前記メモリは命令を具体化し、前記命令は前記プロセッサによって、
第2のデバイスにおいて第1のデバイスから第1のセッション開始プロトコル(SIP)メッセージの少なくとも一部分を受信するステップであって、前記第1のSIPメッセージは、少なくとも、前記第1のデバイスと前記第2のデバイスとの間の通信セッションに関係するセッション情報の第1のセット、および前記第1のデバイスのステータスに関係するテレマティクスデータの第1のセットを含む、ステップと、
前記第1のSIPメッセージに応答して、前記第1のデバイスに第2のSIPメッセージを送信するステップであって、前記第2のSIPメッセージは、前記第1のSIPメッセージにおいて受信されたテレマティクスデータの前記第1のセットの内容に基づくメタデータを含む、ステップと
を行うように実行可能である、デバイス。
【請求項５２】
セッション情報の前記第1のセットは、前記通信セッションの開始を求める要求、または前記通信セッションに関連する情報のうちの少なくとも1つを含む、請求項51に記載のデバイス。
【請求項５３】
前記第2のSIPメッセージは、前記通信セッションに関係するセッション情報の第2のセットを含む、請求項51に記載のデバイス。
【請求項５４】
前記命令は前記プロセッサによって、
テレマティクスデータの前記第1のセットが前記第2のデバイスにおいて良好に受信されたかどうかの指示を送信するステップであって、前記指示は、テレマティクスデータの前記第1のセットの前記内容に基づく前記メタデータを含む、ステップ
を行うように実行可能である、請求項51に記載のデバイス。
【請求項５５】
前記命令は前記プロセッサによって、
テレマティクスデータの前記第1のセットに関する要求を送信するステップであって、前記要求は、テレマティクスデータの前記第1のセットの前記内容に基づく前記メタデータを含む、ステップ
を行うように実行可能である、請求項51に記載のデバイス。
【請求項５６】
前記命令は前記プロセッサによって、
テレマティクスデータの前記第1のセットに関連する少なくとも1つのアクションを識別するステップと、
テレマティクスデータの前記第1のセットの前記内容に基づく前記少なくとも1つの識別されたアクションの実行を求める命令を前記第1のデバイスに送信するステップであって、前記命令は、テレマティクスデータの前記第1のセットの前記内容に基づく前記メタデータを含む、ステップと
を行うように実行可能である、請求項51に記載のデバイス。
【請求項５７】
前記命令は前記プロセッサによって、
前記第1のSIPメッセージのヘッダから、前記第1のSIPメッセージの本文の少なくとも一部分は前記テレマティクスデータを含むと判断する
ように実行可能である、請求項51に記載のデバイス。
【請求項５８】
前記命令は前記プロセッサによって、
前記第1のSIPメッセージの前記ヘッダから、前記第1のSIPメッセージの前記本文はマルチパートフォーマットを含むと判断するステップと、
前記ヘッダ中の情報に基づいて、前記第1のSIPメッセージの前記本文の第1の部分を識別するステップであって、前記第1のSIPメッセージの前記本文の前記第1の部分は、少なくとも、前記通信セッションに関係するセッション情報の前記第1のセットを含む、ステップと、
前記ヘッダ中の前記情報に基づいて、前記第1のSIPメッセージの前記本文の第2の部分を識別するステップであって、前記第1のSIPメッセージの前記本文の前記第2の部分は、少なくとも、テレマティクスデータの前記第1のセットを含む、ステップと
を行うように実行可能である、請求項57に記載のデバイス。
【請求項５９】
テレマティクスデータを通信するための装置であって、
第2のデバイスにおいて第1のデバイスから第1のセッション開始プロトコル(SIP)メッセージの少なくとも一部分を受信するための手段であって、前記第1のSIPメッセージは、少なくとも、前記第1のデバイスと前記第2のデバイスとの間の通信セッションに関係するセッション情報の第1のセット、および前記第1のデバイスのステータスに関係するテレマティクスデータの第1のセットを含む、手段と、
前記第1のSIPメッセージに応答して、前記第1のデバイスに第2のSIPメッセージを送信するための手段であって、前記第2のSIPメッセージは、前記第1のSIPメッセージにおいて受信されたテレマティクスデータの前記第1のセットの内容に基づくメタデータを含む、手段と
を含む装置。
【請求項６０】
セッション情報の前記第1のセットは、前記通信セッションの開始を求める要求、または前記通信セッションに関連する情報のうちの少なくとも1つを含む、請求項59に記載の装置。
【請求項６１】
前記第2のSIPメッセージは、前記通信セッションに関係するセッション情報の第2のセットを含む、請求項59に記載の装置。
【請求項６２】
前記第2のSIPメッセージを送信するための前記手段は、
テレマティクスデータの前記第1のセットが前記第2のデバイスにおいて良好に受信されたかどうかの指示を送信するための手段であって、前記指示は、テレマティクスデータの前記第1のセットの前記内容に基づく前記メタデータを含む、手段
を含む、請求項59に記載の装置。
【請求項６３】
前記第2のSIPメッセージを送信するための前記手段は、
テレマティクスデータの前記第1のセットに関する要求を送信するための手段であって、前記要求は、テレマティクスデータの前記第1のセットの前記内容に基づく前記メタデータを含む、手段
を含む、請求項59に記載の装置。
【請求項６４】
前記要求は、テレマティクスデータの前記第1のセットの再送信を求める要求、テレマティクスデータの前記第1のセットの更新バージョンの送信を求める要求、またはテレマティクスデータの異なるセットの送信を求める要求のうちの少なくとも1つを含む、請求項63に記載の装置。
【請求項６５】
前記第1のデバイスから第3のSIPメッセージを受信するための手段であって、前記第3のSIPメッセージは、少なくとも、テレマティクスデータの前記第1のセットに関する送信された前記要求に対する応答を含む、手段
をさらに含む、請求項63に記載の装置。
【請求項６６】
テレマティクスデータを通信するためのコンピュータプログラムであって、前記コンピュータプログラムに含まれる命令はプロセッサによって、
第2のデバイスにおいて第1のデバイスから第1のセッション開始プロトコル(SIP)メッセージの少なくとも一部分を受信するステップであって、前記第1のSIPメッセージは、少なくとも、前記第1のデバイスと前記第2のデバイスとの間の通信セッションに関係するセッション情報の第1のセット、および前記第1のデバイスのステータスに関係するテレマティクスデータの第1のセットを含む、ステップと、
前記第1のSIPメッセージに応答して、前記第1のデバイスに第2のSIPメッセージを送信するステップであって、前記第2のSIPメッセージは、前記第1のSIPメッセージにおいて受信されたテレマティクスデータの前記第1のセットの内容に基づくメタデータを含む、ステップと
を行うように実行可能である、コンピュータプログラム。
【請求項６７】
セッション情報の前記第1のセットは、前記通信セッションの開始を求める要求、または前記通信セッションに関連する情報のうちの少なくとも1つを含む、請求項66に記載のコンピュータプログラム。
【請求項６８】
前記第2のSIPメッセージは、前記通信セッションに関係するセッション情報の第2のセットを含む、請求項66に記載のコンピュータプログラム。